(57)【特許請求の範囲】
【請求項１】
用紙を反転させて画像形成手段側に搬送する両面機を備えた画像形成装置において、
前記両面機が画像形成装置本体の外面に開閉自在に取り付けられ、
前記両面機内に、前記画像形成手段に用紙を送り込む用紙送込手段と、該両面機内を搬送されてくる用紙を該用紙送込手段に少なくとも１枚の用紙を停止させる用紙停止手段と、を設け、
前記用紙送込手段に用紙を停止させた状態で当該両面機を開閉したとき、前記用紙送込手段に停止していた用紙を有効として制御を行う手段を備えていることを特徴とする画像形成装置。
【請求項２】
前記制御を行う手段は、前記両面機を筐体に対して開放した状態において両面機内の用紙が取り除かれたことを検出した場合に両面機内の用紙を無効とすることを特徴とする請求項１記載の画像形成装置。
【請求項３】
用紙が取り除かれたことの検出が、用紙搬送に使用するセンサによって行われることを特徴とする請求項２記載の画像形成装置。
【請求項４】
前記両面機が前記画像形成装置本体の外面に着脱自在に取り付けられていることを特徴とする請求項１または２記載の画像形成装置。
【請求項５】
各種アプリケーションを連結することによって機能拡張が可能な請求項１ないし４のいずれか１項に記載の画像形成装置。
【請求項６】
前記機能拡張が、コピー機能、ファクシミリ機能、プリンタ機能の少なくとも１つを含むことを特徴とする請求項５記載の画像形成装置。
【発明の詳細な説明】
【０００１】
【発明の属する技術分野】
本発明は、両面機を備え、入力された画像データに応じて画像を形成するデジタル複写機などの画像形成装置に係り、例えば、コピー機能、ファクシミリ機能、プリンタ機能などの複数のアプリケーション機能を備え、アプリケーションに応じて画像を形成するのに好適な画像形成装置に関する。
【０００２】
【従来の技術】
複数のアプリケーションに対応した機能を有するデジタル複写機では、例えば、用紙を給紙トレイから上方にある排紙トレイへと上に向かって搬送する縦搬送システムを採用したものが知られている。このような縦搬送システムのものでは、さらに、縦搬送する本体の外側に用紙を反転させるいわゆる両面機構を有する両面機が付属するものも知られている。
【０００３】
【発明が解決しようとする課題】
このようなデジタル複写機では、複写機本体内で生じた用紙ジャムを取り除くときは、両面機自体を一端開けて、それから本体ドアを開けてジャム紙の除去を行う必要がある。そのとき、搬送上の問題もあり両面機内に用紙が存在していても両面機が開いた時点でその用紙をジャムとして扱っていたため、ジャムしていない用紙を無駄にする結果となっていた。
【０００４】
本発明は、このような従来技術の問題点に鑑みてなされてもので、その目的は、両面通紙時に両面機に関わらないジャムが発生したときのジャム除去後の再印刷動作を行う場合の生産性を高めることにある。
【０００５】
他の目的は、同様の形態の画像形成装置において両面通紙時に両面機に関わらないジャムが発生したときのジャム除去後の再印刷動作を行う場合の生産性を上げると同時に、確実に両面機内の用紙情報を認識できるようにすることにある。
【０００６】
【課題を解決するための手段】
前記目的を達成するため、本発明は、用紙を反転させて画像形成手段側に搬送する両面機を備えた画像形成装置において、前記両面機が画像形成装置本体の外面に開閉自在に取り付けられ、前記両面機内に、前記画像形成手段に用紙を送り込む用紙送込手段と、該両面機内を搬送されてくる用紙を該用紙送込手段に少なくとも１枚の用紙を停止させる用紙停止手段と、を設け、前記用紙送込手段に用紙を停止させた状態で当該両面機を開閉したとき、前記用紙送込手段に停止していた用紙を有効として制御を行う手段を備えている構成とした。
【０００７】
この場合、前記制御を行う手段は、前記両面機を筐体に対して開放した状態において両面機内の用紙が取り除かれたことを検出した場合に両面機内の用紙を無効とする。用紙が取り除かれたことの検出については、用紙搬送に使用するセンサによって行うようにするとよい。また、前記両面機は画像形成装置本体の外面に着脱自在に取り付けられるものである。
【０００８】
なお、この手段の画像形成装置は、各種アプリケーションを連結することによって機能拡張を図ることが可能であって、前記各種アプリケーションによる機能拡張には、コピー機能、ファクシミリ機能、プリンタ機能の少なくとも１つが含まれる。
【０００９】
【発明の実施の形態】
以下、図面を参照し、本発明の一実施の形態について説明する。
【００１０】
図１は本発明の実施形態に係る複数のアプリケーション機能を有する画像形成装置としてのデジタル複写機の外観を示す斜視図である。このデジタル複写機１００は画像形成装置１１０、画像形成装置１１０の下部にあって多段の給紙部を備えた給紙装置１２０、画像形成部１１０の上部にあって原稿などの画像を読み取る画像読み取り装置１３０、片面に画像が形成された用紙を反転させて画像形成装置１１０に送り込み両面に画像を形成させる両面機１４０、および原稿を画像読み取り装置１３０に自動的に送り込んで読み取らせる原稿仕送り装置１５０から構成されている。画像形成装置１１０の上面には図２にも示すような操作部２００が設けられ、画像形成装置１１０に接続された給紙装置１２０、画像読み取り装置１３０、両面機１４０および原稿仕送り装置１５０に対してオペレータが各種指示の入力を行えるようになっている。
【００１１】
操作部２００には、図２から分かるように右側上部にプログラム登録／呼び出しキー２０１，割り込みキー２０２、アプリケーション切り替えキー２０６が配され、プログラム登録／呼び出しキー２０１の下部にテンキー２０５が、また、左側上部に初期設定キー２０３が、その下部にＦＡＸ用短縮キー群２０４が、その上部にＬＥＤ群２０７がそれぞれ配され、さらに、中央部に操作部ＬＣＤ２０８が設けられている。
【００１２】
プログラム登録／呼び出しキー２０１はプログラムモードの登録や呼び出しに用いられる。初期設定キー２０３は初期設定を行うときに使用される。ＦＡＸ用短縮キー群２０４の[01]〜[28]までのキーはファクシミリモードのプログラムの割り当てに使用される。テンキー２０５は[0]〜[9]間でのキーは種々の設定を行う他、コピーモードのプログラムの割り当てに使用される。また、アプリケーション切り替えキー２０６はコピー、ファックス、プリンターの各アプリケーションへの切り替えキーで、押下されたキーに相当するアプリケーションへ操作部表示権を譲渡する。
【００１３】
画像読み取り装置１３０は、光源を原稿に照射し、その反射光を固体作像素子（ＣＣＤ）で電気信号に変換し、必要な画像処理を行う機能を持った装置であり、機構自体は公知なので、ここでの説明は省略する。画像形成装置１１０は、電気信号で送られた画像イメージを電子写真、感熱、熱転写、インクジェット等の手段により普通紙、感熱紙等に形成する装置である。
【００１４】
デジタル複写機１００の大きな特徴に、画像を電気信号に変換して読み込み、電気信号を画像形成装置１１０で復元するという機能がある。このとき読み取った電気信号を様々に変化、伝達する手段を持つことにより複写機以外の分野に応用可能となる。前述のファックス、プリンタ以外にスキャナ、ファイルシステム等応用範囲は非常に広い。これらの拡張機能を「アプリケーション」と称する。
【００１５】
前述の画像読み取り装置１３０で変換された画像の電気信号、画像形成装置１１０へ入力される画像の電気信号、及び画像の電気信号と同期をとるための信号をまとめて「ビデオ信号」と表現する。ビデオ信号を画像読み取り装置１３０、画像形成装置１１０、およびアプリケーション間でやりとりするためには、装置間で情報を伝達しあう必要がある。この手段を「制御信号」または「コマンド」発行と表現する。
【００１６】
最近のデジタル複写機１００では、アプリケーションを１つ登載するのみでなく複数のアプリケーションを同時登載するようになってきた。この様に１つの資源を共有するデジタル複写機を「システム」と表現し、このシステムを制御するコントローラを「システム制御」、「システムコントローラ」と表現する。また、複数のアプリケーションで共有される機能ユニット単位を「資源」、「リソース」と表現する。前述のシステムコントローラは、このリソース単位でシステム制御を行っている。本件のデジタル複写機１００で管理している資源としては、画像読み取り装置１３０、画像形成装置１１０、操作部２００、メモリ、および両面器１４０に代表される周辺機（ＤＦ＝原稿仕送り装置、ソーター等）がある。
【００１７】
「差し込み出力」は主に画像出力時の動作説明で用いられる。通常画像出力は、目的を同じくする一連の動作（＝１ジョブ）を完了するまで他の動作は実行しない。例えば最近のデジタル複写機では機能が複合され、複写機＋ＦＡＸまたはプリンタあるいはそれ以上の組み合わせを１台に集約している。しかし、そのほとんどが例えば複写機能が終了してからプリンタ出力に切り替える様に機能単位（＝ジョブ単位）の出力を行っている。これに対して、１ジョブの出力に他のジョブ出力を差し込んで出力する事を「インターリーブ」と表現する。例えば複写機の出力中に、プリンタ出力を機械動作を止めることなく実現する。
【００１８】
また、「初期設定」とは、よく使用する条件に合わせて、各機能の初期設定値を変更したり、操作の条件を設定することを示し、初期設定には複写機システム全般の機能の設定を行う「システム初期設定」とコピーモードの機能の設定に限定した「コピー初期設定」とファクシミリモードの機能の設定に限定した「ファックス初期設定」等がある。たとえば、「システム初期設定」にはキー操作後、一定時間なにも操作を行わなかったときに電源を入れたときの状態に戻す「オートクリア時間の設定」等があり、「コピー初期設定」にはセットできるコピー枚数の上限を変更する「コピーセット枚数制限の設定」や、「片面→両面」コピーで、裏面の左とじ代幅の設定が可能な「両面コピー左とじ幅」等がある。「ファックス初期設定」には受信した時間を印字する機能を選択する「受信時刻印字の設定」や、よく使用する相手の電話番号を登録する「宛先登録」等がある。
【００１９】
図３は本実施形態に係るデジタル複写機のシステムソフト構成を示すブロック図である。マルチタスク型のシステムを構成するためには、機能単位をリソースとして扱い、１つのリソースを複数のアプリケーションで共有するための管理を行う必要がある。この管理を行うのが図３に示すシステム制御層３００であり、この他にアプリケーション層３１０とデバイス制御層３２０が設けられている。
【００２０】
システム制御層３００はシステム制御部３０１と、操作部２００、画像読み取り装置１３０、画像形成装置１１０および両面機１４０等の周辺機の各コントローラ３０２、３０３、３０４、３０５により構成される。
【００２１】
デバイス制御層３２０は、システム制御層３００からのコマンド、制御信号等の論理的指示から、実際に装置を動かすためにクラッチ、センサ、モータ等の機械的入出力を駆動、入力する変換（入出力制御３２１）を行っている。アプリケーション層３１０は、拡張機能としてコピーアプリケーション３１１、プリンタアプリケーション３１２、ＦＡＸアプリケーション３１３、その他のアプリケーション３１４等の複数アプリケーションがシステム制御層３００から提供される機能により共存可能となる層である。
【００２２】
図４はこの発明の実施形態に係る画像形成装置のハード構成を示すブロック図である。この例では、コピーアプリケーション３１１、プリンタアプリケーション３１２、ＦＡＸアプリケーション３１３の各アプリケーション毎にＣＰＵ３１１ａ，３１２ａ，３１３ａを持たせ、システム制御層３００、デバイス制御層３２０を１個のＣＰＵ３０１ａで制御している。しかし、各アプリケーション３１１，３１２，３１３、システム制御層３００、各リソースにＣＰＵをもたせシステム制御コントローラ３０１から各コントローラ３０２，３０３，３０４，３０５へのコマンドを制御信号線で伝達するハードウェアも考えられる。一方、キーカード機器は本体と制御線４０１，４０２，４０３で接続され、本実施形態においてはシリアル通信を用いている。また、同図には、操作部２００の制御を行う為の操作部制御バス４１０があるが、前述の制御信号線を用いたコマンドのやりとりで行うことも当然考えられる。このようにシステム・ハード構成は自由に構成されるため図３の構成は単なる例示であり、本発明がこの構成に限定されるわけでない。
【００２３】
なお、図４において、各アプリケーション３１１，３１２，３１３にはそれぞれページメモリ３１１ｂ，３１２ｂ，３１３ｂが設けられている。また、符号４２０は画像形成信号バスである。
【００２４】
システム制御層３００では、図１のディジタル複写機においてアプリケーション層とシステム制御層の関係を示す図５に示すようにアプリケーション層３１０から見た場合、全てのアプリケーション３１１，３１２，３１３個別に仮想リソースが存在するような機能を提供する。この機能によってアプリケーション層３１０では特にシステム状態を管理する必要がなく、システム制御層３００では全てのアプリケーション３１１，３１２，３１３を同一条件で管理することが可能となる。すなわちアプリケーション３１１，３１２，３１３は使用したいリソースが発生した時点で、システム制御層３００に使用要求を送る。システム制御層３００ではその時点でのリソース使用状況から判断して要求元アプリケーションに結果を送る。要求元アプリケーションでは結果により実行可能の是非を判断し、可能であれば実行する。基本的には同等の手順で実行権管理を行う。
【００２５】
図３のシステムでは、リソースは１つずつしかない。このためシステム制御層３００ではアプリケーション３１１，３１２，３１３毎の仮想リソース使用要求が競合した場合、実際のリソース使用権を渡すために排他制御または時分割割付を行う必要がある。排他制御か時分割割付を行うかはリソースの種類、ユーザ設定により異なってくる。なお、破線で囲まれたリソースは仮想リソースであり、実行（操作部の場合は表示）権をとっていない状態で、実線で囲まれたリソースは実行権をとった状態を示す。
【００２６】
図６はコピーアプリケーション３１１とプリンタアプリケーション３１２のインターリーブ動作を示す説明図である。ここでは、コピーアプリケーション３１１は、「操作部」リソース２００、「画像形成装置」リソース１１０、「画像読み取り装置」リソース１３０全ての実行権をとって実行中である。このときプリンターアプリケーション３１２から「画像形成装置」リソース１１０の使用要求のみがきた場合、ユーザ設定でインターリーブモード可能に設定されていると、システム制御層３００は「画像形成装置」リソース１１０を時分割割付制御する。時分割割付制御はリソースの実行権を複数アプリ間で動的に変更する。この結果「画像形成装置」リソース１１０からの出力は、コピーアプリケーション出力とプリンターアプリケーション出力が混在して出力される。この間「画像形成装置」リソース１１０を停止すること無く変更可能とすることにより両者の待ち時間を最小限に抑えられる。
【００２７】
図７はＦＡＸアプリケーション３１３とプリンタアプリケーション３１２との並列動作を示す説明図である。ここではファックスアプリケーション３１３が操作部２００の表示権を有し、プリンタアプリケーション３１２とＦＡＸアプリケーション３１３の印刷動作の並列動作を示している。ＦＡＸアプリケーション３１３は例えば、ファクシミリの送信モード等で、「操作部」リソース２００と「画像読み取り装置」リソース１３０のみを使用する場合で、プリンタアプリケーション３１２はプリンタ出力などの「画像形成装置」リソース１１０のみが必要な場合である。この状態では、ＦＡＸアプリケーション３１３とプリンタアプリケーション３１２が同時にリソース要求してきても、リソースの競合が発生しないため、排他または時分割割り付けする必要なく両アプリケーション３１２，３１３の要求を受け入れることが可能である。したがって、プリンタアプリケーション３１２とＦＡＸアプリケーション３１３の動作は全く同時に行うことができる。
【００２８】
図８は図１のデジタル複写機１００の内部構造を示すモデル図である。デジタル複写機１００の上から原稿仕送り装置１５０、画像読み取り装置１３０、画像形成装置１１０、給紙装置１２０がそれぞれ配置され、画像形成装置１１０の本体部側面に両面機１４０が取り付けられている。
【００２９】
原稿仕送り装置１５０には原稿載置台１５１が設けられ、この原稿載置台１５１上に置かれた原稿が駆動モータ１５２によって駆動される図示しないピックアップローラ、搬送ローラおよび搬送ベルトによって画像読み取り装置１３０の最上部に設けられたコンタクトガラス上に送り込まれ、読み取り後、排紙される。
【００３０】
画像読み取り装置１３０は図示しない第１走行体および第２走行体に搭載された照明用光源、ミラー群によってＣＣＤに原稿からの反射光を導いて原稿を読み取る公知のもので、前記走行体はスキャナ駆動モータ１３１によって副走査方向に駆動される。
【００３１】
画像形成装置１１０は前記ＣＣＤで読み取った画像データに基づいてレーザダイオード（ＬＤ）ユニット１１１によって変調されたレーザ光をポリゴンミラー１１３に導き、ポリゴンモータ１１２によって高速で回転駆動される前記ポリゴンミラー１１３からの反射光を帯電チャージャによって帯電した感光体１１４に照射して静電潜像を形成し、この潜像をトナーボトル１１５から供給されるトナーによって現像器１１６で現像し、転写部１１７で転写媒体（転写紙）に転写して定着部１１８で定着したあと排紙する公知の構造のものである。なお、符号１１９は転写される画像の濃度を検知するためのホトセンサ（Ｐセンサ）である。
【００３２】
給紙装置１２０はここでは２段の給紙部１２１と手差し給紙部１２２と、これらの給紙部１２１，１２２から用紙を取り出して縦搬送路１２５に沿って搬送する給紙コロ１２３および搬送コロ１２４と、搬送されてくる用紙と画像とのタイミングをとるためのレジストローラ１２６と、定着部１１８で定着を終えた用紙を排紙部１２９に排紙するための排紙コロ１２７と、一面に画像が形成された転写紙を両面機１４０に導く経路と前記排紙部に排紙する経路のいずれかを選択する分岐爪１２８とから主に構成されている。
【００３３】
両面機１４０は分岐爪１２８によって両面機側の反転経路１４１が選択された用紙を反転させる反転ローラ１４２と、この反転ローラ１４２によって反転させられた用紙を感光体側に再度導くための両面経路１４３に用紙を送り込む反転爪１４４と、転写部１１７に用紙を送り込む両面搬送ローラ１４５と、両面経路１４３に導かれた用紙を検出する両面搬送センサ１４６とを備えている。また、両面経路１４３は上端部が前記縦搬送路１２５の上端の分岐爪１２８によって導かれる開口部と一致し、下端部が前記縦搬送路１２５のレジストローラ１２６よりも上流側に設けられた開口部と一致するように設定されている。
【００３４】
大略このように構成されたデジタル複写機１００では、指定された給紙部１２１，１２２から用紙は給紙され、図示しないレジストセンサを経て、レジストローラ１２６によって感光体１１４に形成された画像の先端とタイミングを合わせるため、一時停止する。一方、ＬＤユニット１１１によって生成されたレーザ光はポリゴンミラー１１３により、画像の幅に広げられ、感光体１１４上に潜像を形成し、現像器１１６によって潜像の部分にトナーを付着させることにより画像を形成し、転写部１１７へと送られる。レジストローラ１２６位置で一時停止させられた用紙は感光体１１４上の画像の先端が転写部１１７に到達するタイミングを計ってレジストローラ１２６部から搬送され、転写部１１７で用紙上に画像を転写し、定着部１１８を通過する際に熱と圧力により定着され、排紙部１２９に排紙される。
【００３５】
本実施形態で用いられるシステムは図８にも記載してあるように給紙部１２１，１２２から上方に配置されている排紙部１２９まで上向きに用紙を搬送する縦搬送システムである。そのため、定着部１１８を抜けた用紙を反転し、再び画像形成部１１０に送り込む両面機能の一つの手段として本体外に両面機構を持った両面機１４０を使用する。
【００３６】
具体的には図８に示すように、本体内の定着部１１８を抜けたところに位置する分岐爪１２８を制御することで定着部１１８以降の搬送路を変更し、両面機能を使用する場合は両面機１４０側に搬送されるように分岐爪１２８を傾ける。両面機１４０内に入った用紙は反転ローラ部１４２で搬送方向を逆転し、反転爪１４４の切り替えにより用紙を下方の方へと導く。さらに両面搬送センサ１４６を用いて両面搬送ローラ１４５部にて用紙を一時停止し、両面裏面の給紙開始信号により再び本体内に用紙を給紙し、レジストローラ１２６から転写部１１７へと送り込み裏面を印刷する両面機能を実現している。
【００３７】
なお、このような両面機１４０を使用している際に用紙ジャムが生じた場合、図９に示すように両面機１４０内の用紙は両面機１４０自体を開けて中から行う。また、本体内に残された用紙は一旦両面機１４０本体を開け、さらにその中にある本体ドア１６０を開けて取り除く。
【００３８】
ところで、この種の両面機１４０を使用した場合、ジャムが発生するたびに両面コピーをやり直しているのでは効率が悪い。そこで、このような両面機１４０を使用する場合、両面機１４０内で用紙を停止できる機構を備えているので、両面機１４０内まで搬送されてきた用紙は両面搬送ローラ１４５位置に停止させておく。そのため、ジャムによる印刷ジョブ停止後においても両面機１４０内の用紙情報、言い換えれば、両面搬送ローラ１４５部に用紙ありの情報をそのまま保持しておく。さらに、使用者によるジャム紙除去が行われるときには前述のごとく両面機１４０の開放が行われ、さらに本体ドア１６０の開放が行われて本体内の残留紙が除去され、先ほどとは逆の手順で本体ドア１６０を閉め、両面機１４０が閉められてジャムの解除となる。このとき、両面機１４０内の用紙情報をそのまま残しておくことにより両面機１４０内に残されたままの用紙は有効として扱い、再給紙後、両面機１４０内からの給紙を行う。これにより、ジャム解除後の再印刷動作の生産性を上げることが可能となる。
【００３９】
このときの処理手順を図１０のフローチャートに示す。この処理手順では、ジャムが発生すると（ステップ１００１）、両面機１４０を開放し（ステップ１００２）、ジャム紙を除去する（ステップ１００３）。ジャム紙の除去が完了すると本体ドア１６０を閉め、さらに両面機１４０を閉めた後（ステップ１００４）、両面機１４０からの給紙を待ち、給紙が完了する（ステップ１００５）と処理を終える。
【００４０】
両面機１４０を開けてまた閉めたときには両面機１４０内の用紙情報を保持しておくが、両面機１４０が開いている状態の時に使用者によって両面機１４０内の用紙が取り除かれる状態も考えられる。そこで、この状態を検出したときには両面機１４０内の用紙情報を無効とすることで確実に両面機１４０内の用紙情報を認識することが可能となる。この処理手順を図１１のフローチャートに示す。
【００４１】
この処理では、ジャムが発生すると（ステップ１１０１）、両面機１４０を開放し（ステップ１１０２）、両面機１４０内の用紙が除去されたかどうかをチェックする（ステップ１１０３）。除去されていなければ、ジャム紙を除去し（ステップ１１０４）。ジャム紙の除去が完了すると本体ドア１６０を閉め、さらに両面機１４０を閉めた後（ステップ１１０５）、両面機１４０からの給紙を待ち、給紙が完了すると（ステップ１１０６）処理を終える。一方、ステップ１１０３のチェックで両面機１４０内の用紙が除去されていれば、両面機１４０内の用紙情報をクリアして（ステップ１１０７）処理を終える。その際、すなわち両面機１４０が開いているときに両面機１４０内の用紙が抜かれたかどうかは、両面機１４０内の搬送に使用する搬送センサ１４６を用いる。こうすることにより、両面機１４０が開いているときの両面機１４０内の用紙有無の検出用に特別の構成を導入する必要がなくなる。
【００４２】
このように本実施形態に係るデジタル複写機によれば、コピーアプリケーション３１１、プリンタアプリケーション３１２，ＦＡＸアプリケーション３１３などの拡張機能をシステム制御層３００によって制御することによって同時に動作させることが可能となるばかりでなく、これらの機能を両面機１４０を使用して実行していときに用紙ジャムが生じた場合、ジャム処理終了後に両面機１４０内に一面に画像形成された用紙が残っている場合には、その用紙を供給して他面に画像形成を行わせることが可能となり、画像形成の生産性を向上させることができる。したがって、これらの処理はシステム制御層３００内のシステムコントローラによって行われる。
【００４３】
【発明の効果】
以上のように、請求項１記載の発明によれば、画像形成装置本体の外面に開閉自在に取り付けらている両面機内に、画像形成手段に用紙を送り込む用紙送込手段と、用紙送込手段に１枚ないし複数枚の用紙を停止させる用紙停止手段とを設け、用紙送込手段に用紙を停止させた状態で当該両面機を開閉したとき、用紙送込手段に停止していた用紙を有効として制御を行う手段とを備えているので、両面通紙時に両面機に関わらないジャムが発生したときのジャム除去後の再印刷動作を行う場合の生産性を上げることができる。
【００４４】
請求項２記載の発明によれば、両面機を筐体に対して開放した状態において両面機内の用紙が取り除かれたことを検出した場合に両面機内の用紙を無効とするので、両面機からの用紙の供給を待たずに次工程に進むことが可能となり、これによって両面通紙時に両面機に関わらないジャムが発生したときのジャム除去後の再印刷動作を行う場合の生産性を上げると同時に、確実に両面機内の用紙情報を認識することができる。
【００４５】
請求項３記載の発明によれば、用紙が取り除かれたことの検出が用紙搬送に使用するセンサによって行われるので、特別な構成を付加することなく請求項２記載の発明の効果を得ることができる。
【００４６】
請求項４記載の発明によれば、両面機が画像形成装置本体の外面に着脱自在に取り付けられているので、画像形成装置本体外に両面機を有する機械における両面通紙時のジャム処理に伴う生産性の低下を防止ばかりでなく、再印刷動作を行う場合の生産性を向上させることができる。
【００４７】
請求項５および６記載の発明によれば、各種アプリケーションを連結することによってコピー機能、ファクシミリ機能、プリンタ機能などの拡張機能を実現する際の再印刷動作を行う場合の生産性を向上させることができる。
【図面の簡単な説明】
【図１】本発明の一実施形態に係るデジタル複写機の外観を示す斜視図である。
【図２】図１のディジタル複写機の操作部を示す平面図である。
【図３】図１のデジタル複写機のシステムソフト構成を示すブロック図である。
【図４】図１のデジタル複写機のシステムハード構成を示すブロック図である。
【図５】図１のデジタル複写機におけるアプリケーション層とシステム制御層との関係を示す説明図である。
【図６】図１のデジタル複写機におけるコピーアプリケーションとプリンタアプリケーションのインターリーブ動作を示す説明図である。
【図７】図１のデジタル複写機におけるＦＡＸアプリケーションとプリンタアプリケーションの並列動作を示す説明図である。
【図８】図１のデジタル複写機の内部構成を示すモデル図である。
【図９】図１のデジタル複写機の両面機と本体ドアを開放した状態を示す図である。
【図１０】本実施形態におけるジャム処理時の処理手順を示すフローチャートである。
【図１１】本実施形態におけるジャム処理時の他の処理手順を示すフローチャートである。
【符号の説明】
１００  デジタル複写機
１１０  画像形成装置
１２０  給紙装置
１３０  画像読み取り装置
１４０  両面機
１５０  原稿仕送り装置
１６０  本体ドア
１４２  反転ローラ
１４４  反転爪
１４５  両面搬送ローラ
１４６  両面搬送センサ
３００  システム制御層
３０１  システムコントローラ
３１０  アプリケーション層
３１１  コピーアプリケーション
３１２  プリンタアプリケーション
３１３  ＦＡＸアプリケーション
３２０  デバイス制御層
【図１】
0003881806.tif 000002
【図２】
0003881806.tif 000003
【図３】
0003881806.tif 000004
【図４】
0003881806.tif 000005
【図５】
0003881806.tif 000006
【図６】
0003881806.tif 000007
【図７】
0003881806.tif 000008
【図８】
0003881806.tif 000009
【図９】
0003881806.tif 000010
【図１０】
0003881806.tif 000011
【図１１】
0003881806.tif 000012